(57)【要約】  【課題】操作が煩雑にならず、時間がかからず、さらに再設定時には以前の設定内容の影響を受けずにチャンネル設定を行うことが可能な放送受信機を提供する。  【解決手段】受信チャンネルを設定する場合、メモリからチャンネル情報とスマートアンテナの方向情報とを消去した後、スマートアンテナの指向性方向を全方向に切り替えさせながら所定のチャンネルの放送を自動的に受信させて行く。そして、全指向性方向の中から所定のチャンネルの放送を最良に受信可能かつ再生可能な指向性方向を決定して、所定のチャンネルのチャンネル情報と、決定した指向性方向の方向情報とを関連付けてメモリに自動的に記憶する。【選択図】  図４
2006005779.tif 000002
【特許請求の範囲】
【請求項１】
予め設定された複数の方向に指向性を切替可能なスマートアンテナによって、放送局から送信される所定のチャンネルのテレビジョン放送を受信する放送受信機において、
前記スマートアンテナを制御して指向性方向を切り替えさせる制御部と、
所定のチャンネルを示すチャンネル情報と当該チャンネルの放送を受信可能な前記スマートアンテナの指向性方向を示す方向情報とを記憶するためのメモリと、を備え、
前記制御部は、全ての受信可能なチャンネルを受信チャンネルとして設定する場合に、前記メモリから全ての前記チャンネル情報と前記方向情報とを消去した後、予め設定された受信候補のチャンネル毎に、前記スマートアンテナの指向性方向を全方向に切り替えさせながら当該チャンネルの放送を受信させて行き、全指向性方向の中から当該チャンネルの放送を最良に受信可能かつ当該チャンネルの放送の映像を再生可能な指向性方向を決定して、当該チャンネルの前記チャンネル情報と決定した指向性方向の前記方向情報とを関連付けて前記メモリに記憶することを特徴とする放送受信機。
【請求項２】
予め設定された複数の方向に指向性を切替可能な指向性切替アンテナによって、放送局から送信される所定のチャンネルの放送を受信する放送受信機において、
前記指向性切替アンテナを制御して指向性方向を切り替えさせる制御部と、
所定のチャンネルを示すチャンネル情報と当該チャンネルの放送を受信可能な前記指向性切替アンテナの指向性方向を示す方向情報とを記憶するためのメモリと、を備え、
前記制御部は、所定のチャンネルを受信チャンネルとして設定する場合に、前記メモリから所定のチャンネルに対応する前記チャンネル情報と前記方向情報とを消去した後、前記指向性切替アンテナの指向性方向を全方向に切り替えさせながら所定のチャンネルの放送を受信させて行き、全指向性方向の中から所定のチャンネルの放送を最良に受信可能かつ再生可能な指向性方向を決定して、所定のチャンネルの前記チャンネル情報と決定した指向性方向の前記方向情報とを関連付けて前記メモリに記憶することを特徴とする放送受信機。
【請求項３】
請求項２に記載の放送受信機において、
前記制御部は、全ての受信可能なチャンネルを受信チャンネルとして設定する場合に、前記メモリから全ての前記チャンネル情報と前記方向情報とを消去した後、予め設定された受信候補のチャンネル毎に、前記指向性切替アンテナの指向性方向を全方向に切り替えさせながら当該チャンネルの放送を受信させて行き、全指向性方向の中から当該チャンネルの放送を最良に受信可能かつ再生可能な指向性方向を決定して、当該チャンネルの前記チャンネル情報と決定した指向性方向の前記方向情報とを関連付けて前記メモリに記憶することを特徴とする放送受信機。
【発明の詳細な説明】
【技術分野】
【０００１】
本発明は、放送局から送信される所定のチャンネルの放送を、指向性切替アンテナによって受信する放送受信機に関するものである。
【背景技術】
【０００２】
日本では一般に、一箇所の基地局からテレビジョン放送等の放送電波が送信されている。そのため、住居の屋根やベランダ等に放送受信用のアンテナを基地局へ向けて固定し、アンテナと放送受信機とをケーブルで接続することで、複数の放送局が送信している放送を略全て受信することができる。これに対して、米国等の海外では、複数の放送局からそれぞれ個別に放送電波が送信されている。そのため、アンテナを一箇所に向けて固定すると、アンテナの向いている方向にある放送局の放送は受信することができるが、アンテナの向いていない方向にある放送局の放送は受信することができない。
【０００３】
そこで、上記の事情を鑑みて、指向性を切り替え可能なアンテナ（以下、指向性切替アンテナという。）を利用した放送受信機が提案されている（特許文献１〜３参照）。指向性切替アンテナは、複数のアンテナ素子と各アンテナ素子に対応する位相器等から構成され、各アンテナ素子で受信した信号の位相を各位相器で制御して合成することにより、指向性を電気的に可変させる。例えば指向性切替アンテナの一例であるスマートアンテナでは、指向性を周囲の１６方向に切り替えることが規格で規定されている。放送受信機は、このような指向性切替アンテナを制御して、当該アンテナの指向性方向を所定の方向に切り替えることにより、所定の放送局から送信されている所定のチャンネルの放送電波を受信する。これにより、ユーザは、指向性切替アンテナを住居の屋根等に固定しても、点在している複数の放送局から送信されている放送を殆ど全て受信することができる。
【０００４】
上記のような放送受信機において、所望のチャンネルを受信チャンネルとして設定する場合、ユーザは、リモートコントローラやスイッチ等の操作手段を操作して、所望のチャンネルを１つ選局した後、操作手段を操作して、指向性切替アンテナの指向性方向を切り替えて行く。詳しくは、ユーザの操作指示に基づいて、放送受信機の制御部が指向性切替アンテナの指向性方向を切り替えて行く。このとき、制御部は、指向性切替アンテナによって受信する放送電波を処理して、例えばテレビジョン受像機（以下、テレビという。）に画像を表示して行く。よって、ユーザは、テレビに表示される画像を見ながら、画像が最良になるように操作手段を操作して、指向性切替アンテナの指向性方向を切り替えて行く。そして、画像が最良になる指向性切替アンテナの指向性方向が特定できると、ユーザは、操作手段で所定の操作を行って、受信しているチャンネルと、特定した指向性切替アンテナの指向性方向を放送受信機にセットする。これにより、制御部が、選局されたチャンネルを示すチャンネル情報と、このときの指向性切替アンテナの指向性方向を示す方向情報とをメモリに記憶する。
【０００５】
上記のような手順を他のチャンネルについても同様に行うことで、ユーザは、複数のチャンネルを受信チャンネルとして放送受信機に設定することができる。そして、このように受信チャンネルを設定しておくと、その後ユーザが操作手段を操作して、設定済みのチャンネルを再び選局したときに、制御部が、当該チャンネルに対応する指向性切替アンテナの方向情報をメモリから読み出し、その方向情報の示す方向に指向性切替アンテナの指向性を切り替えさせる。このため、選局されたチャンネルの放送が指向性切替アンテナによって即座に受信でき、当該放送の最良な映像がテレビに表示されて、ユーザに即座に視聴可能となる。
【０００６】
上述した手動によるチャンネル設定については、特許文献１〜３に記載されている。しかしながら、手動によるチャンネル設定では、ユーザは、テレビの表示画像を見ながら、操作手段を操作して、指向性切替アンテナの指向性方向を切り替えていかなければならないので、操作が煩雑になり、時間がかかるという問題がある。特に、設定するチャンネル数が多いと、操作が非常に煩雑になり、長い時間がかかってしまう。なお、特許文献２には、チャンネルが選局されたとき等に、制御部が、指向性切替アンテナの指向性を全方向にスキャンさせて、最大受信電力のレベルの方向を捜索し、当該方向に指向性切替アンテナの指向性を保持することが記載されているが、これは、選局されたチャンネルの放送を受信可能な方向に指向性切替アンテナの指向性を合わせるために行われていて、所望のチャンネルを設定するためには行われていない。また、特許文献４に記載されているような、指向性が切り替えられない通常のアンテナを利用する放送受信機では、電源が接続されたときや所定の操作がされたとき等に、制御部が、受信バンド内を順次掃引し、所定受信レベル以上の放送電波または受信レベルの高い放送電波の受信周波数を自動的にメモリのチャンネル記憶領域に記憶することが一般的に行われている。
【０００７】
一方、住居の屋根等に固定した指向性切替アンテナは、引越しや掃除等のために移動させられることがある。指向性切替アンテナが移動させられると、設定済みのチャンネルの放送を受信可能な指向性切替アンテナの指向性方向が変化して、放送を受信できなくことがある。このため、指向性切替アンテナの移動後には、チャンネルの再設定を行う必要がある。しかしながら、チャンネルの再設定を行う場合、再設定しようとするチャンのチャンネル情報と、対応する指向性切替アンテナの方向情報とがメモリに記憶されていると、ユーザが再設定するチャンネルを指示したときに、制御部が、以前の設定内容の影響を受けて、対応する方向情報の示す方向に指向性を切り替えるように指向性切替アンテナを制御してしまう等の制御上の不都合を生じてしまい、再設定するチャンネルと指向性切替アンテナの指向性方向とをセットするまでに時間がかかるおそれがある。なお、特許文献３には、指向性切替アンテナを固定した放送受信機が移動した時には、メモリの内容をリセットし再びチャンネルの再設定を行うのが好ましいということが記載されているが、リセットがどのような処理で、いつどのようにして行うかについては何ら説明されていない。
【特許文献１】特開２００１−１６８６２７号公報（段落００１９〜００２８、図２）
【特許文献２】特開平１１−２９８２２６号公報（段落０００９〜００１５、図５、６、１０）
【特許文献３】特開平６−３３４９３１号公報（段落００４１〜００５２、００６１、００６２、図７）
【特許文献４】特開平８−２４２１４４号公報（段落０００１〜０００３、００１１，００１８）
【発明の開示】
【発明が解決しようとする課題】
【０００８】
本発明は、上述した問題点を解決するものであって、その課題とするところは、操作が煩雑にならず、時間がかからず、さらに再設定時には以前の設定内容の影響を受けずにチャンネル設定を行うことが可能な放送受信機を提供することにある。
【課題を解決するための手段】
【０００９】
本発明では、予め設定された複数の方向に指向性を切替可能な指向性切替アンテナによって、放送局から送信される所定のチャンネルの放送を受信する放送受信機において、指向性切替アンテナを制御して指向性方向を切り替えさせる制御部と、所定のチャンネルを示すチャンネル情報と当該チャンネルの放送を受信可能な指向性切替アンテナの指向性方向を示す方向情報とを記憶するためのメモリとを設け、制御部は、所定のチャンネルを受信チャンネルとして設定する場合に、メモリから所定のチャンネルに対応するチャンネル情報と方向情報とを消去した後、指向性切替アンテナの指向性方向を全方向に切り替えさせながら所定のチャンネルの放送を受信させて行き、全指向性方向の中から所定のチャンネルの放送を最良に受信可能かつ再生可能な指向性方向を決定して、所定のチャンネルのチャンネル情報と決定した指向性方向の方向情報とを関連付けてメモリに記憶する。
【００１０】
このようにすることで、所定のチャンネルが受信チャンネルとして放送受信機に自動的に設定されるので、従来の手動によるチャンネル設定のように、ユーザの操作が煩雑になることはなく、時間がかかることもない。また、メモリから所定のチャンネルに対応するチャンネル情報と方向情報とを消去してから、指向性切替アンテナの指向性方向を切り替えて行くので、再設定時には以前の設定内容の影響を受けずにチャンネル設定を行うことができる。このため、従来のようにアンテナ制御上の不都合を生じてチャンネル設定に時間がかかるというおそれはない。
【００１１】
また、本発明では、制御部は、全ての受信可能なチャンネルを受信チャンネルとして設定する場合に、メモリから全てのチャンネル情報と方向情報とを消去した後、予め設定された受信候補のチャンネル毎に、指向性切替アンテナの指向性方向を全方向に切り替えさせながら当該チャンネルの放送を受信させて行き、全指向性方向の中から当該チャンネルの放送を最良に受信可能かつ再生可能な指向性方向を決定して、当該チャンネルのチャンネル情報と決定した指向性方向の方向情報とを関連付けてメモリに記憶する。
【００１２】
このようにすることで、全ての受信可能なチャンネルが受信チャンネルとして放送受信機に自動的に設定されるので、従来の手動によるチャンネル設定のように、ユーザの操作が非常に煩雑になることはなく、長い時間がかかることもなく、大変有益である。また、メモリから全てのチャンネル情報と方向情報とを消去してから、指向性切替アンテナの指向性方向を切り替えて行くので、再設定時には以前の設定内容の影響を受けずにチャンネル設定を行うことができる。このため、従来のようにアンテナ制御上の不都合を生じてチャンネル設定に時間がかかるというおそれはない。
【００１３】
さらに、本発明の典型的な実施形態では、予め設定された複数の方向に指向性を切替可能なスマートアンテナによって、放送局から送信される所定のチャンネルのテレビジョン放送を受信する放送受信機において、スマートアンテナを制御して指向性方向を切り替えさせる制御部と、所定のチャンネルを示すチャンネル情報と当該チャンネルの放送を受信可能なスマートアンテナの指向性方向を示す方向情報とを記憶するためのメモリとを設け、制御部は、全ての受信可能なチャンネルを受信チャンネルとして設定する場合に、メモリから全てのチャンネル情報と方向情報とを消去した後、予め設定された受信候補のチャンネル毎に、スマートアンテナの指向性方向を全方向に切り替えさせながら当該チャンネルの放送を受信させて行き、全指向性方向の中から当該チャンネルの放送を最良に受信可能かつ当該放送の映像を再生可能な指向性方向を決定して、当該チャンネルのチャンネル情報と決定した指向性方向の方向情報とを関連付けてメモリに記憶する。
【００１４】
このようにすることで、全ての受信可能なチャンネルが受信チャンネルとして放送受信機に自動的に設定されるので、従来の手動によるチャンネル設定のように、ユーザの操作が非常に煩雑になることはなく、長い時間がかかることもなく、大変有益である。また、メモリから全てのチャンネル情報と方向情報とを消去してから、スマートアンテナの指向性方向を切り替えて行くので、再設定時には以前の設定内容の影響を受けずにチャンネル設定を行うことができる。このため、従来のようにアンテナ制御上の不都合を生じてチャンネル設定に時間がかかるというおそれはない。
【発明の効果】
【００１５】
本発明によれば、メモリから所定のチャンネルに対応するチャンネル情報と方向情報とが消去されてから、指向性切替アンテナの指向性方向が切り替えられて、所定のチャンネルが受信チャンネルとして放送受信機に自動的に設定されるので、操作が煩雑にならず、時間がかからず、さらに再設定時には以前の設定内容の影響を受けずにチャンネル設定を行うことができる。
【発明を実施するための最良の形態】
【００１６】
図１は、テレビジョン放送の受信システムを示すブロック図である。図１において、１は放送受信機、２はスマートアンテナ、３はテレビジョン受像機（以下、テレビという。）である。放送受信機１とテレビ３とは、一般家庭の住居内に据置されていて、ケーブルにより接続されている。スマートアンテナ２は、住居の屋根またはベランダに取付固定されていて、放送受信機１とケーブルにより接続されている。スマートアンテナ２は、４本のアンテナ素子２ａ〜２ｄと、各アンテナ素子２ａ〜２ｄに対応させて設けた位相器、合成器、および制御回路等（アンテナ素子２ａ〜２ｄ以外は図示省略）を備えていて、各アンテナ素子２ａ〜２ｄによって受信した信号の位相を各位相器で制御し、制御後の信号を合成器で合成することにより、指向性を電気的に１６方向に切り替える。
【００１７】
図２は、スマートアンテナ２の指向性方向を示した図である。図２において、各直線はスマートアンテナ２が切り替える指向性方向を示し、各直線の交差している部分はスマートアンテナ２の中心を示している。０〜１５の番号は各指向性方向を示している。つまり、スマートアンテナ２は、周囲３６０°を１６分割した各方向に指向性を切り替える。放送受信機１は、このスマートアンテナ２を制御して、スマートアンテナ２の指向性方向を切り替えさせることにより、住居の周辺に点在している複数の放送局より送信されるテレビジョン放送電波を受信する。
【００１８】
図１の４はＣＰＵやＲＯＭやＲＡＭ等からなる制御部である。制御部４のＲＯＭには、制御用のプログラムおよびデータが記憶されていて、ＲＡＭには、制御用のデータが読み書き可能に記憶される。この制御部４は、放送受信機１の各部を制御するとともに、スマートアンテナ２の指向性方向の切り替え制御を行う。５はチューナ、６は信号処理部、７はＯＳＤ回路である。チューナ５は、スマートアンテナ２によって受信されたテレビジョン放送電波から所定のチャンネルのテレビジョン放送信号を抽出する。信号処理部６は、チューナ５から出力されるテレビジョン放送信号を処理して映像信号と音声信号とを生成し、生成した映像信号と音声信号とをテレビ３に出力する。ＯＳＤ回路７は、制御部４から出力される画像データをテレビ３にＯＳＤ（オンスクリーン表示）として表示できるように処理して出力する。テレビ３は、信号処理部６から出力される映像信号と音声信号とを処理して、映像をモニタに表示して再生し、音声をスピーカから出力して再生する。また、テレビ３は、ＯＳＤ回路７から出力される画像データを処理して、画像をモニタにＯＳＤとして表示する。
【００１９】
８は不揮発性のメモリである。制御部４は、このメモリ８の所定領域に、後述するように所定のチャンネルを示すチャンネル情報と、当該チャンネルの放送を受信可能なスマートアンテナ２の指向性方向を示す方向情報とを関連付けて記憶する。図３は、メモリ８の所定領域の記憶内容の一例を示す図である。制御部４がメモリ８の所定領域に上記チャンネル情報と上記スマートアンテナ２の方向情報とをチャンネル毎に記憶することで、メモリ８の所定領域にはチャンネル設定テーブルＴが作成される。本テーブルＴにおいて、左側にはチャンネル情報が記憶され、右側には各チャンネル情報に関連付けられたスマートアンテナ２の方向情報が記憶されている。チャンネル情報には、チャンネル番号（２、４、６、６９等）、アナログ放送（ｎｔｓｃ）またはデジタル放送（ＤＴＶ）の別、ＶＨＦ帯域またはＵＨＦ帯域の別等のような情報が含まれている。スマートアンテナ２の方向情報には、指向性方向を示す方向番号（１４、１、５、１０等）、当該方向で受信した放送電波の受信レベル（ＬＥＶ＊＊）等のような情報が含まれている。なお、受信レベルとは、受信した放送電波がアナログの場合は、当該放送電波の受信信号強度のことであり、受信した放送電波がデジタルの場合は、当該放送電波のビットエラーレートのことである。
【００２０】
図１の９はチャンネルキーや電源キー等の各種のキーが備わった操作部である。１０はリモコン受信部であって、リモートコントローラ（以下、リモコンという。）１１からの信号を受信する。リモコン１１には、チャンネルキー、メニューキー、および十字キー等の各種のキーが備わっている。
【００２１】
上記構成において、放送受信機１は、本発明における放送受信機の一実施形態を構成する。スマートアンテナ２は、本発明における指向性切替アンテナの一実施形態をする。制御部４は、本発明における制御部の一実施形態をする。メモリ８は、本発明におけるメモリの一実施形態を構成する。
【００２２】
図４は、上記放送受信機１で行われるオートスキャン処理の手順を示すフローチャートである。本手順は、前述の制御部４がＲＯＭに記憶されたプログラムに従って実行する。なお、オートスキャン処理とは、自動的に、全ての受信可能なチャンネルをスキャンして（探して）、受信チャンネルとして設定する処理のことである。このオートスキャン処理は、ユーザが、初めて放送受信機１とスマートアンテナ２とを接続して、電源を投入したときに、または前述のリモコン１１を操作して、オートスキャン処理の実行を指示したときに、制御部４によって開始される。
【００２３】
図４において、オートスキャン処理を開始すると、まず制御部４は、前述のメモリ８の所定領域からチャンネル情報とスマートアンテナ２の方向情報とを全て消去する（ステップＳ１）。なお、このとき実行しているオートスキャン処理が放送受信機１において初めて（第１回目のオートスキャン処理）の場合は、メモリ８の所定領域には未だ図３に示したチャンネル設定テーブルＴが記憶されていないので、ステップＳ１の処理は空振りとなる。次に、制御部４は、予めＲＯＭに設定（記憶）された受信候補のチャンネル（２チャンネル〜６９チャンネル）の中からチャンネルを１つ選択して、選択したチャンネルのチャンネル番号をスマートアンテナ２に通知する（ステップＳ２）。チャンネルの選択は、例えば番号の小さなチャンネルから順番に行う。スマートアンテナ２は、チャンネル番号の通知を受けると、そのチャンネル番号に応じた周波数帯域の電波を受信できるように各部を設定する。
【００２４】
続いて、制御部４は、予めＲＯＭに設定（記憶）された切り替え順序に従って、指向性方向を０〜１５のいずれかの方向に切り替えることを指示した制御信号をスマートアンテナ２に送信して、スマートアンテナ２に指向性方向を切り替えさせる（ステップＳ３）。指向性方向の切り替えは、例えば番号の小さな方向から順番に行う（図２の「０」の方向から時計回りの順番）。スマートアンテナ２に指向性方向を切り替えさせると、制御部４は、選択したチャンネルの放送電波の受信確認を行う（ステップＳ４）。ここで、スマートアンテナ２が選択したチャンネルの放送電波を受信すると、制御部４は、当該放送電波の受信レベルを検出して、スマートアンテナ２に切り替えさせた指向性方向を示す方向番号ととともにＲＡＭに一時的に記憶する。受信確認を行った後、スマートアンテナ２の指向性方向を未だ全方向に切り替えさせていなければ（ステップＳ５：ＮＯ）、制御部４は、ステップＳ３へ移行し、上記と同様の手順でステップＳ３〜ステップＳ５の処理を繰り返し実行する。
【００２５】
そして、ステップＳ５で、スマートアンテナ２の指向性方向を全方向に切り替えさせたことを確認すると（ステップＳ５：ＹＥＳ）、制御部４は、ＲＡＭに一時的に記憶した放送電波の受信レベルと方向番号とを参照して、受信レベルの最良なスマートアンテナ２の指向性方向を決定する（ステップＳ６）。続いて、制御部４は、決定した指向性方向で受信した放送電波が、テレビ３で放送映像を再生可能な受信レベルにあるか否かを判定する（ステップＳ７）。詳しくは、受信した放送電波の受信レベルが、予め設定された放送映像再生可能レベルより良好か否かを判定する。ここで、受信した放送電波が放送映像を再生可能な受信レベルであれば（ステップＳ７：ＹＥＳ）、制御部４は、選択したチャンネルのチャンネル情報と、決定したスマートアンテナ２の指向性方向の方向情報とを関連付けてメモリ８の所定領域に記憶する（ステップＳ８）。これにより、選択したチャンネルが受信チャンネルとして設定された状態となる。記憶後、制御部４はステップＳ９へ移行する。一方、受信した放送電波が放送映像を再生可能な受信レベルでなければ（ステップＳ７：ＮＯ）、制御部４は、ステップＳ８の処理を実行することなく、ステップＳ９へ移行する。これにより、選択したチャンネルは受信チャンネルとして設定されなかった状態となる。
【００２６】
ステップＳ９へ移行して、受信候補の全チャンネル（２チャンネル〜６９チャンネル）の選択が未だ完了していなければ（ステップＳ９：ＮＯ）、制御部４は、ステップＳ２へ移行し、上記と同様の手順でステップＳ２〜ステップＳ９の処理を繰り返し実行する。そして、ステップＳ９で、受信候補の全チャンネルの選択が完了したことを確認すると（ステップＳ９：ＹＥＳ）、制御部４は、オートスキャン処理を終了する。
【００２７】
上記のようにオートスキャン処理が終了すると、メモリ８の所定領域には、図３に示したようにチャンネル設定テーブルＴが作成され、全ての受信可能なチャンネルが受信チャンネルとして設定された状態となる。これにより、その後ユーザがリモコン１１を操作して、設定されたチャンネルを１つ選局したときに、制御部４は、選局されたチャンネルに対応するスマートアンテナ２の方向情報をテーブルＴから読み出し、当該方向情報の示す方向にスマートアンテナ２の指向性方向を切り替えさせて、同チャンネルの放送電波を即座にかつ良好に受信することができる。そして、制御部４は、受信した放送電波を前述のチューナ５および信号処理部６により処理して、即座にかつ良好にテレビ３に映像を表示させ、音声を出力させることができる。
【００２８】
以上のようにすることで、全ての受信可能なチャンネルが受信チャンネルとして放送受信機１に自動的に設定されるので、従来の手動によるチャンネル設定のように、ユーザの操作が非常に煩雑になることはなく、長い時間がかかることもなく、大変有益である。また、メモリ８から全てのチャンネル情報と方向情報とを消去してから、スマートアンテナ２の指向性方向を切り替えて行くので、引越し等の理由によりスマートアンテナ２を移動させたため、オートスキャン処理によってチャンネルの再設定を行う場合には、以前の設定内容の影響を受けずにチャンネルの設定を行うことができる。このため、従来のようにアンテナ制御上の不都合を生じて、チャンネル設定に時間がかかるというおそれはない。
【００２９】
以上述べた実施形態では、全ての受信可能なチャンネルを受信チャンネルとして設定する場合に、本発明を適用した例を挙げているが、本発明はこれ以外にも、特定のチャンネルだけを受信チャンネルとして設定する場合に適用することが可能である。図５は、この場合の実施形態を示すフローチャートである。なお、図５では、図４と同一処理について同一符号を付してある。例えば、ユーザがリモコン１１を操作して、所望のチャンネルを受信チャンネルとして初めてまたは再度設定することを指示したときに、制御部４は図５の処理を開始する。まず制御部４は、メモリ８の所定領域から指示されたチャンネルに対応するチャンネル情報とスマートアンテナ２の方向情報とを消去する（ステップＳ１ａ）。なお、このとき指示されたチャンネルの設定が初めて（指示されたチャンネルをこれまで設定したことがなかった）の場合は、当該チャンネルに対応するチャンネル情報とスマートアンテナ２の方向情報とはメモリ８の所定領域には未だ記憶されていないので、ステップＳ１ａの処理は空振りとなる。次に、制御部４は、指示されたチャンネルのチャンネル番号をスマートアンテナ２に通知する（ステップＳ２ａ）。この後、制御部４は、前述したのと同様の手順で、ステップＳ３以降の処理を実行して行く。そして、ステップＳ６で決定した指向性方向でスマートアンテナ２により受信した放送電波が、放送映像を再生可能な受信レベルであれば（ステップＳ７：ＹＥＳ）、制御部４は、指示されたチャンネルのチャンネル情報と、決定したスマートアンテナ２の指向性方向の方向情報とを関連付けてメモリ８の所定領域に記憶する（ステップＳ８ａ）。なお、このときメモリ８の所定領域に既にチャンネル設定テーブルＴ（図３）が作成されていれば、制御部４は、今回のチャンネル情報と方向情報とをチャンネル設定テーブルＴに追加記憶する。記憶後、制御部４は処理を終了する。
【００３０】
上記のようにすることで、ユーザが指示した特定のチャンネルが受信チャンネルとして放送受信機１に自動的に設定されるので、従来の手動によるチャンネル設定のように、ユーザの操作が煩雑になることはなく、時間がかかることもない。また、メモリ８から指示した特定のチャンネルに対応するチャンネル情報と方向情報とを消去してから、スマートアンテナ２の指向性方向を切り替えて行くので、当該チャンネルの再設定を行う場合には、以前の設定内容の影響を受けずにチャンネルの設定を行うことができる。このため、従来のようにアンテナ制御上の不都合を生じてチャンネル設定に時間がかかるというおそれはない。
【００３１】
以上述べた実施形態では、スマートアンテナ２を接続した放送受信機１に、本発明を適用した場合を例に挙げているが、本発明はこれ以外にも、例えばスマートアンテナ以外のアダプティブアレイアンテナのような複数の方向に指向性を切替可能なアンテナを接続した放送受信機に適用することが可能である。また、例えばラジオ放送を受信する放送受信機や、衛星放送を受信する放送受信機のようなものにも適用することが可能である。
【図面の簡単な説明】
【００３２】
【図１】テレビジョン放送の受信システムを示すブロック図である。
【図２】スマートアンテナの指向性方向を示す図である。
【図３】放送受信機に備わるメモリの記憶内容の一例を示す図である。
【図４】放送受信機のオートスキャン処理手順を示すフローチャートである。
【図５】他の実施形態のフローチャートである。
【符号の説明】
【００３３】
１    放送受信機
２    スマートアンテナ
４    制御部
８    メモリ
【図１】
2006005779.tif 000003
【図２】
2006005779.tif 000004
【図３】
2006005779.tif 000005
【図４】
2006005779.tif 000006
【図５】
2006005779.tif 000007